(57)【特許請求の範囲】
【請求項１】
四肢又は体幹を覆う筒状をなす被覆部を有し、前記被覆部の内部への前記四肢又は体幹の挿入を通じて身体に装着される装着部材であって、
前記被覆部の内側面には、前記四肢又は体幹の挿入方向に順毛となるように傾斜する繊維状部材と、前記四肢又は体幹の挿入方向に逆毛となるように傾斜する繊維状部材が設けられる
ことを特徴とする装着部材。
【請求項２】
請求項１に記載の装着部材において、
前記装着部材はサポーターである
ことを特徴とする装着部材。
【請求項３】
請求項１に記載の装着部材において、
前記装着部材は前記四肢又は体幹に装着される装具である
ことを特徴とする装着部材。
【発明の詳細な説明】
【技術分野】
【０００１】
本発明は、身体の四肢又は体幹を覆う被覆部を有して身体に装着される装着部材に関する。
【背景技術】
【０００２】
従来、この種の装着部材としては、例えば筒状をなす被覆部を有し、同被覆部の内部に足を挿入することで足に装着されるサポーターが周知である。また、例えば特許文献１に記載のサポーターでは、足の動きに伴いサポーターが脱げたり、回転したりすることを規制するために、サポーターを構成する膝当ての上部に設けられている吊り下げ用ベルトをズボン用ベルトに取り付ける一方、膝当ての下部に設けられている固定用ベルトを足首に巻き付けることで、膝当てを身体に固定するようにしている。
【先行技術文献】
【特許文献】
【０００３】
【特許文献１】特開平１０−２０４７０８号公報
【発明の概要】
【発明が解決しようとする課題】
【０００４】
ところが、こうした従来のサポーターにあっては、サポーターを構成する膝当てが脱げたり、回転したりすることを抑制するために、膝当てとは別に吊り下げ用ベルトや固定用ベルトといった装着具が必要となるとともに、使用者はこうした装着具の各種ベルトをズボン用ベルトや足首に取り付けるといった煩雑な作業をその都度強いられるようになる。そのため、従来のサポーターにあっては、その装着作業が繁雑になりその構成も複雑なものとなるといった問題がある。
【０００５】
尚、こうした問題は、上述した四肢に装着されるサポーターに限られるものではなく、他に例えば体幹に装着される装具や、靴下及び下着といった一般の衣類等、身体の四肢又は体幹を覆う被覆部を有して身体に装着される装着部材であれば、概ね共通して生じるものである。
【０００６】
本発明は、こうした実情に鑑みてなされたものであり、その目的は、簡易な構成をもって装着部材の正常な装着状態を維持することのできる装着部材を提供することにある。
【課題を解決するための手段】
【０００７】
以下、上記課題を解決するための手段及びその作用効果について記載する。
尚、以下においては、装着部材を、一般の衣服はもちろんのこと、装具等を含むものの総称として定義する。
【０００８】
（１）請求項１に記載の発明は、四肢又は体幹を覆う筒状をなす被覆部を有し、前記被覆部の内部への前記四肢又は体幹の挿入を通じて身体に装着される装着部材であって、前記被覆部の内側面には、前記四肢又は体幹の挿入方向に順毛となるように傾斜する繊維状部材と、前記四肢又は体幹の挿入方向に逆毛となるように傾斜する繊維状部材が設けられることをその要旨としている。
【０００９】
同構成によれば、例えば、繊維状部材は、被覆部の内部に四肢又は体幹を挿入する方向に傾斜するといった態様をもって具体化することができる。この場合、筒状の被覆部を有する装着部材が脱げようとする場合には、被覆部の内側面に設けられた繊維状部材が逆毛となるため、大きな抵抗力が生じる。このため、装着部材が脱げることを抑制することができる。またこの場合、筒状の被覆部の内部に身体を挿入する場合には、被覆部の内側面に設けられた繊維状部材が順毛となるため、その挿入に際して生じる抵抗力は小さい。このため、被覆部の内側面に繊維状部材を設けることに起因して四肢又は体幹への装着部材の装着が困難なものとなることはない。
また例えば、繊維状部材は、被覆部の内部に四肢又は体幹を挿入する方向とは逆の方向に傾斜するといった態様をもって具体化することができる。この場合、筒状の被覆部を有する装着部材がその挿入方向とは逆の方向に変位しようとする場合には、被覆部の内側面に設けられた繊維状部材が逆毛となるため、大きな抵抗力が生じる。このため、装着部材がその挿入方向とは逆の方向に変位することを抑制することができる。
【００１５】
（２）こうした請求項１に記載の装着部材としては、例えば請求項２に記載の発明によるように、前記装着部材はサポーターであるといった態様をもって具体化することができる。
【００１６】
（３）請求項１に記載のこうした装着部材としては、例えば請求項３に記載の発明によるように、前記装着部材は前記四肢又は体幹に装着される装具であるといった態様をもって具体化することができる。
【００１７】
ちなみに、上記請求項１〜請求項３に記載の繊維状部材の配設態様としては、被覆部の内側面に被覆部とは別体にて形成される繊維状部材を貼り付けるといった態様の他、被覆部自体によって繊維状部材を形成するといった態様を採用することができる。
【図面の簡単な説明】
【００１８】
【図１】本発明の第１実施形態に係る靴下について、足に装着された状態における靴下を中心とした側面構造を示す側面図。
【図２】同実施形態における靴下を中心とした縦断面構造を示す縦断面図。
【図３】本発明の第２実施形態に係るサポーターについて、膝に装着された状態におけるサポーターを中心とした側面構造を示す側面図。
【図４】同実施形態におけるサポーターを中心とした縦断面構造を示す縦断面図。
【図５】本発明の第３実施形態に係るサポーターについて、その縦断面構造を示す縦断面図。
【図６】同実施形態におけるサポーターを中心とした横断面構造を示す横断面図。
【図７】同実施形態におけるサポーターを中心とした横断面構造を示す横断面図。
【図８】（ａ）〜（ｃ）本発明の第４実施形態に係るコルセットの概略構成を示す概略構成図。
【図９】（ａ）、（ｂ）本発明の第５実施形態に係るコルセット及びインナーの概略構成を示す概略構成図。
【図１０】本発明に係る装着部材の他の変形例について、腕に装着されたサポーターの側面構造を示す側面図。
【発明を実施するための形態】
【００１９】
＜第１実施形態＞
以下、図１及び図２を参照して、本発明に係る装着部材を靴下１として具体化した第１実施形態について説明する。
【００２０】
図１に、本実施形態の靴下１について、足Ｌに装着された状態における同靴下１を中心とした側面構造を示す。また、図２に、靴下１の開口部を中心とした縦断面構造を部分的に示す。尚、図２では、説明の便宜上、繊維状部材３である起毛を誇張して記載している。また、靴下１と足Ｌとを離間して示しているが、実際には、これらは接触した状態となっている。
【００２１】
図１に示すように、靴下１は、従来一般の靴下と同様にして、筒状をなすとともに膝Ｋよりも足Ｌの先端側の部位を覆う被覆部２を有しており、その装着に際しては、被覆部２の内部へ足Ｌを挿入するものとなっている。ここで、被覆部２は、伸縮性を有する繊維の編地により形成されている。また、図２に示すように、被覆部２の内側面には、より詳しくは靴下１の開口部近傍の内側面には、足Ｌの伸びる方向において所定の方向Ａに傾斜する起毛である繊維状部材３が設けられている。繊維状部材３は、複数の起毛からなっており、被覆部２に足Ｌを挿入する方向Ａに傾斜している。尚、本実施形態では、こうした繊維状部材３が、靴下１の開口部近傍の内側面において全周にわたり貼り付けられている。
【００２２】
こうした靴下１によれば、図２に示すように、靴下１がその正常な装着位置から脱げようとする場合には、被覆部２の内側面に設けられた繊維状部材３が逆毛となるため、大きな抵抗力が生じる。このため、靴下１の脱げようとすることが抑制されるようになる。
【００２３】
また、被覆部２の内部に足Ｌを挿入する場合には、被覆部２の内側面に設けられた繊維状部材３が順毛となるため、その挿入に際して生じる抵抗力は小さい。このため、被覆部２の内側面に繊維状部材３を設けることに起因して足Ｌへの靴下１の装着が困難なものとなることはない。
【００２４】
以上説明した本実施形態に係る装着部材によれば、以下に示す作用効果が得られるようになる。
（１）靴下１は、膝Ｋよりも足Ｌの先端側の部位を覆う被覆部２を有して足Ｌに装着されるものであり、被覆部２の内側面には足Ｌの延びる方向において所定の方向Ａに傾斜する繊維状部材３が設けられるものとした。具体的には、被覆部２は筒状をなし、靴下１は被覆部２の内部への足Ｌの挿入を通じて足Ｌに装着されるものとした。また、上記所定の方向Ａを、被覆部２に足Ｌを挿入する方向Ａとした。これにより、簡易な構成をもって靴下１の正常な装着状態を維持することができるようになる。
＜第２実施形態＞
以下、図３及び図４を参照して、本発明に係る装着部材を膝用サポーター（以下、サポーター）１１として具体化した第１実施形態について説明する。
【００２５】
図３に、本実施形態のサポーター１１について、膝Ｋに装着された状態における同サポーター１１を中心とした側面構造を示す。また、図４に、サポーター１１を中心とした縦断面構造を部分的に示す。尚、図４では、説明の便宜上、繊維状部材１３である起毛を誇張して記載している。また、サポーター１１と足Ｌとを離間して示しているが、実際には、これらは接触した状態となっている。
【００２６】
図３に示すように、サポーター１１は、従来一般のサポーターと同様にして、筒状をなすとともに膝Ｋを覆う被覆部１２を有しており、その装着に際しては、被覆部１２の内部へ足Ｌを挿入するものとなっている。ここで、被覆部１２は、伸縮性を有する繊維の編地により形成されている。また、図４に示すように、被覆部１２の内側面には、足Ｌの伸びる方向において所定の方向Ａに傾斜する起毛である繊維状部材１３が設けられている。具体的には、繊維状部材１３は、複数の起毛からなっており、被覆部１２に足Ｌを挿入する方向Ａに傾斜している。尚、本実施形態では、こうした繊維状部材１３が被覆部２の内側面に貼り付けられている。
【００２７】
こうしたサポーター１１によれば、図４に示すように、サポーター１１がその正常な装着位置から脱げようとする場合には、被覆部１２の内側面に設けられた繊維状部材１３が逆毛となるため、大きな抵抗力が生じる。このため、サポーター１１が脱げようとすることが抑制されるようになる。
【００２８】
また、被覆部１２の内部に足Ｌを挿入する場合には、被覆部１２の内側面に設けられた繊維状部材１３が順毛となるため、その挿入に際して生じる抵抗力は小さい。このため、被覆部１２の内側面に繊維状部材１３を設けることに起因して足Ｌへのサポーター１１の装着が困難なものとなることはない。
【００２９】
以上説明した本実施形態に係る装着部材によれば、以下に示す作用効果が得られるようになる。
（２）サポーター１１は、膝Ｋを覆う被覆部１２を有して足Ｌに装着されるものであり、被覆部１２の内側面には足Ｌの延びる方向において所定の方向Ａに傾斜する繊維状部材１３が設けられるものとした。具体的には、被覆部１２は筒状をなし、サポーター１１は被覆部１２の内部への足Ｌの挿入を通じて足Ｌに装着されるものとした。また、上記所定の方向Ａを、被覆部１２に足Ｌを挿入する方向Ａとした。これにより、簡易な構成をもってサポーター１１の正常な装着状態を維持することができるようになる。
＜第３実施形態＞
以下、図５〜図７を参照して、本発明に係る装着部材を膝用サポーター（以下、サポーター）２１として具体化した第３実施形態について説明する。
【００３０】
図５に、本実施形態のサポーター２１についてその縦断面構造を示す。また、図６及び図７に、足Ｌに装着された状態におけるサポーター２１を中心とした横断面構造を部分的に示す。尚、図６は、サポーター２１の挿入方向Ａにおいて第１繊維状部材２３Ａが含まれる位置での横断面構造を示したものであり、図７は、サポーター２１の挿入方向Ａにおいて第２繊維状部材２３Ｂが含まれる位置での横断面構造を示したものである。また、図６及び図７では、説明の便宜上、繊維状部材２３Ａ、２３Ｂである起毛を誇張して記載している。また、サポーター２１と足Ｌとを離間して示しているが、実際には、これらは接触した状態となっている。
【００３１】
図５に示すように、サポーター２１は、先の第２実施形態のサポーター１１と同様にして、筒状をなすとともに膝Ｋを覆う被覆部２２を有している。
ただし、本実施形態では、先の第２実施形態にて例示した繊維状部材１３は設けられておらず、これに代えて、図５〜図７に併せ示すように、被覆部２２の内側面には、足Ｌの周方向、すなわち被覆部２２の周方向において所定の方向Ｙに傾斜する起毛である第１繊維状部材２３Ａと、同所定の方向Ｙとは逆の方向Ｘに傾斜する起毛である第２繊維状部材２３Ｂとが設けられている。具体的には、図５に示すように、大腿部側から下腿部側に向けて、すなわち同図中上側から下側に向けて、第１繊維状部材２３Ａと第２繊維状部材２３Ｂとが交互に貼り付けられている。各繊維状部材２３Ａ、２３Ｂは、サポーター２１の内周面全周にわたり所定の幅をもって形成されている。
【００３２】
こうしたサポーター２１によれば、図６に示すように、サポーター２１がその正常な装着位置から、その被覆部２２の周方向において所定の方向Ｙに回転しようとする場合には、同被覆部２２の内側面に設けられた第１繊維状部材２３Ａが逆毛となるため、大きな抵抗力が生じる。このため、被覆部２２の周方向において上記所定の方向Ｙへのサポーター２１の回転が抑制されるようになる。
【００３３】
また、図７に示すように、サポーター２１がその正常な装着位置から、その被覆部２２の周方向において上記所定の方向Ｙとは逆の方向Ｘに回転しようとする場合には、同被覆部２２の内側面に設けられた第２繊維状部材２３Ｂが逆毛となるため、大きな抵抗力が生じる。このため、被覆部２２の周方向において上記逆の方向Ｘへのサポーター２１の回転が抑制されるようになる。
【００３４】
このようにして、足Ｌに対してサポーター２１が、上記所定の方向Ｙに回転する場合であれ、同所定の方向Ｙとは逆の方向Ｘに回転する場合であれ、それらが抑制されるようになる。すなわち、足Ｌに対してサポーター２１がその周方向に回動することが抑制されるようになる。
【００３５】
以上説明した本実施形態に係る装着部材によれば、以下に示す作用効果が得られるようになる。
（３）サポーター２１は、膝Ｋを覆う被覆部２２を有して足Ｌに装着されるものであり、被覆部２２の内側面には足Ｌの周方向において所定の方向Ｙに傾斜する第１繊維状部材２３Ａと、同所定の方向Ｙとは逆の方向Ｘに傾斜する第２繊維状部材２３Ｂとが設けられるものとした。具体的には、被覆部２２は筒状をなし、サポーター２１は被覆部２２の内部への足Ｌの挿入を通じて足Ｌに装着されるものとした。これにより、簡易な構成をもってサポーター２１の正常な装着状態を維持することができるようになる。
＜第４実施形態＞
以下、図８を参照して、本発明に係る装着部材を腰椎用装具（以下、コルセット）３１として具体化した第４実施形態について説明する。
【００３６】
図８に、本実施形態のコルセット３１の概略構成を示す。尚、図８（ａ）は、コルセット３１を中心とした側面構造である。また、図８（ｂ）は、コルセット３１の平面構造である。また、図８（ｃ）は、コルセット３１を中心とした縦断面構造を部分的に示したものである。尚、図８（ｃ）では、説明の便宜上、繊維状部材３３である起毛を誇張して記載している。また、コルセット３１と腰部Ｗとを離間して示しているが、実際には、これらは接触した状態となっている。
【００３７】
図８（ａ）、（ｂ）に示すように、コルセット３１は、シート状、より詳しくは帯状をなすとともに腰部Ｗを覆う被覆部３２を有しており、その装着に際しては、腰部Ｗに対して被覆部３２を巻き付けるものとなっている。尚、被覆部３２の長手方向の一端部には、その他端部３６と係合する係合部材３５が設けられている。ここで、被覆部３２は、従来一般のコルセットと同様の繊維材料により形成されている。ただし本実施形態では、図８（ｂ）、（ｃ）に併せ示すように、被覆部３２の内側面に、体幹の延びる方向において所定の方向Ｂ、すなわち図中上方に傾斜する繊維状部材３３が設けられている。具体的には、繊維状部材３３は、複数の起毛からなっており、腰部Ｗから胸部への方向Ｂに傾斜している。尚、本実施形態では、こうした繊維状部材３３が被覆部３２の内側面に貼り付けられている。
【００３８】
体幹においてコルセットの正常の装着位置よりも胸部側には他の部位に比べて縮径された所謂くびれが存在することから、従来一般のコルセットにあっては、コルセットを腰部Ｗに巻き付けて装着した場合であっても、コルセットが胸部側に向けて変位するといった問題が生じやすい。こうした問題は、男性に比べてくびれの大きい女性においては特に顕著なものとなる。
【００３９】
これに対して、本実施形態のコルセット３１によれば、コルセット３１がその正常な装着位置から胸部側に向けて変位しようとする場合には、被覆部３２の内側面に設けられた繊維状部材３３が逆毛となるため、大きな抵抗力が生じる。このため、コルセット３１がその正常な装着位置から胸部側に向けて変位することが抑制されるようになる。
【００４０】
以上説明した本実施形態に係る装着部材によれば、以下に示す作用効果が得られるようになる。
（４）コルセット３１は、腰部Ｗを覆う被覆部３２を有して腰部Ｗに装着されるものであり、被覆部３２の内側面には体幹の延びる方向において所定の方向Ｂに傾斜する繊維状部材３３が設けられるものとした。具体的には、被覆部３２は帯状をなし、コルセット３１は腰部Ｗに対する被覆部３２の巻回を通じて腰部Ｗに装着されるものとした。また、上記所定の方向Ｂとは、体幹において腰部Ｗから胸部への方向とした。これにより、簡易な構成をもってコルセット３１の正常な装着状態を維持することができるようになる。
＜第５実施形態＞
以下、図９を参照して、本発明に係る装着部材を、腰椎用装具であるコルセット３１及び同コルセット３１と共に装着される下半身用下着であるインナー４１としてそれぞれ具体化した第５実施形態について説明する。
【００４１】
図９に、本実施形態のコルセット３１及びインナー４１の概略構成を示す。尚、図９（ａ）は、コルセット３１及びインナー４１を中心とした側面構造である。また、図９（ｂ）は、コルセット３１及びインナー４１を中心とした縦断面構造を部分的に示したものである。尚、図９（ｂ）では、説明の便宜上、繊維状部材３３、４３である起毛をそれぞれ誇張して記載している。また、コルセット３１とインナー４１とを離間して示すとともに、インナー４１と腰部Ｗとを離間して示しているが、実際には、これらは接触した状態となっている。また、本実施形態におけるコルセット３１は、先の第４実施形態において例示したものと同一である。
【００４２】
コルセット３１が腰部Ｗに装着される場合には、下半身用の下着であるインナーが装着された状態の腰部Ｗにコルセット３１が装着されることが多い。この場合、インナーに対するコルセット３１の変位についてはこれをコルセット３１の被覆部３２の内側面に設けられた繊維状部材３３により抑制することができるものの、インナーの構成によっては、腰部Ｗに対してインナーが変位することを抑制することができない。従って、こうした場合には、腰部Ｗに対してコルセット３１が変位することを的確に抑制することができないおそれがある。
【００４３】
そこで、本実施形態では、図９（ａ）、（ｂ）に示すように、腰部Ｗ等を直接覆うインナー４１の被覆部４２の内側面に、体幹の延びる方向において所定の方向Ｂに傾斜する繊維状部材４３を設けることにより、上述した問題を解決するようにしている。具体的には、繊維状部材４３は、複数の起毛からなっており、体幹において腰部Ｗから胸部への方向Ｂに傾斜している。尚、本実施形態では、こうした繊維状部材４３が被覆部４２の内側面に貼り付けられている。
【００４４】
こうしたコルセット３１及びインナー４１によれば、図９（ｂ）に示すように、インナー４１がその正常な装着位置から胸部側に向けて変位しようとする場合には、インナー４１の内側面に設けられた繊維状部材４３が逆毛となるため、大きな抵抗力が生じる。このため、インナー４１の上記所定の方向Ｂへの変位が抑制されるようになる。従って、腰部Ｗに対するコルセット３１の変位が抑制されるようになる。
【００４５】
以上説明した本実施形態に係る装着部材によれば、先の第４実施形態の効果（４）に加え、以下に示す作用効果が得られるようになる。
（５）腰部Ｗに直接装着されるインナー４１を備え、コルセット３１はインナー４１が装着された状態の腰部Ｗに装着されるものとした。インナー４１の内側面には体幹の延びる方向において所定の方向Ｂに傾斜する繊維状部材４３が設けられるものとした。また、上記所定の方向Ｂとは、体幹において腰部Ｗから胸部への方向とした。これにより、インナー４１が装着された状態の腰部Ｗにコルセット３１を装着する場合であれ、腰部Ｗに対するコルセット３１の上記所定の方向Ｂへの変位を的確に抑制することができるようになる。
【００４６】
尚、本発明に係る装着部材は、上記実施形態にて例示した構成に限定されるものではなく、これを適宜変更した例えば次のような形態として実施することもできる。
・上記第１実施形態では、筒状の被覆部２の内側面において、その周方向全体に繊維状部材３を設けるようにしているが、これに代えて、その周方向において部分的に繊維状部材を設けるようにしてもよい。
【００４７】
・上記第１実施形態によるように、靴下１の開口部が、ふくらはぎの上方に位置するもの、すなわち靴下１が足Ｌに装着された状態においてその開口部の位置する足の部位が、同部位よりも足Ｌの先端側の部位よりも小径である場合には、靴下１の被覆部２の開口部近傍にのみ所定の幅をもつ繊維状部材３を設けることにより、靴下１が脱げることを好適に抑制することができる。しかしながら、例えば靴下の丈が短く、その開口部が上記第１実施形態において例示した位置よりも足Ｌの先端側に位置するものの場合には、同開口部の位置する足の部位から同部位よりも足Ｌの先端側の部位に向けて足の径が徐々に小さくなることから、靴下が脱げやすくなる。この場合、靴下がその正常な装着位置から脱げようとする際に作用する抵抗をより大きくすべく、上記第１実施形態において例示したものに比べて、被覆部２の内側面において繊維状部材を設ける面積を大きくすれば、靴下の丈が短い場合であれ、同靴下が脱げることを好適に抑制することができるようになる。
【００４８】
・上記第２実施形態では、サポーター１１を構成する被覆部１２の内側面に同被覆部１２の内部に足Ｌを挿入する方向Ａに傾斜する繊維状部材１３が設けられるものについて例示したが、これに代えて、或いはこれに加えて、被覆部１２の内側面に同被覆部１２に足Ｌを挿入する方向Ａとは逆の方向に傾斜する繊維状部材を設けるようにしてもよい。これにより、サポーターがその挿入方向Ａとは逆の方向に変位しようとする場合には、被覆部の内側面に設けられた繊維状部材が逆毛となるため、大きな抵抗力が生じる。このため、サポーターがその挿入方向Ａとは逆の方向に変位することを抑制することができるようになる。
【００４９】
・上記第３実施形態では、サポーター２１を構成する被覆部２２の内側面に同被覆部２２の周方向において所定の方向Ｙ（Ｘ）に傾斜する繊維状部材２３Ａ（２３Ｂ）がそれぞれ設けられるものについて例示した。しかしながら、本発明はこれに限られるものではなく、例えば、第１繊維状部材２３Ａのみ、或いは第２繊維状部材２３Ｂのみを設けるようにすることもできる。
【００５０】
・上記第２実施形態、同第２実施形態の変形例、第３実施形態、及び同第３実施形態の変形例においてそれぞれ例示した各繊維状部材のうち２つ以上の繊維状部材を、サポーターを構成する被覆部の内側面に選択的に設けるようにしてもよい。
【００５１】
・上記第２実施形態、同第２実施形態の変形例、第３実施形態、及び同第３実施形態の変形例では、足に装着される装具について例示したが、本発明はこれに限られるものではなく、手に装着される装具、例えば図１０に示す腕用サポーター５１として具現化することもできる。
【００５２】
・上記第４、第５実施形態では、コルセット３１の被覆部３２の内側面に、体幹において腰部Ｗから胸部への方向Ｂに傾斜する繊維状部材３３が設けられるものについて例示したが、コルセットの腰部Ｗを中心とした回転が問題となる場合には、これに加えて、或いはこれに代えて、コルセットの被覆部の内側面に、腰部Ｗの周方向において所定の方向に傾斜する繊維状部材を設けるようにすればよい。
【００５３】
・上記第４、第５実施形態では、腰椎用装具であるコルセット３１について例示したが、こうした装具としては、腰椎用のものに限られるものではなく、他に例えば、胸椎用装具として本発明を具現化することもできる。また、胸腰椎用装具として具現化することもできる。
【００５４】
・上記第５実施形態では、インナー４１をコルセット３１と腰部Ｗとの間に位置するものとして例示しているが、本発明に係る装着部材はこれに限られるものではない。インナーを、装具用のものとしてではなく、一般の衣類として具現化することもできる。
【００５５】
要するに、装着部材としては身体の四肢又は体幹を覆う被覆部を有して身体に装着されるものであればよい。
【符号の説明】
【００５６】
１…靴下、２、１２、２２、３２、４２…被覆部、３、１３、２３、３３、４３…繊維状部材、１１、２１…サポーター、２３Ａ…第１繊維状部材、２３Ｂ…第２繊維状部材、３１…コルセット、３５…係合部材、３６…他端部、４１…インナー、５１…腕用サポーター、Ｋ…膝、Ｌ…足、Ｗ…腰部。
【図１】
0005537904.tif 000002
【図２】
0005537904.tif 000003
【図３】
0005537904.tif 000004
【図４】
0005537904.tif 000005
【図５】
0005537904.tif 000006
【図６】
0005537904.tif 000007
【図７】
0005537904.tif 000008
【図８】
0005537904.tif 000009
【図９】
0005537904.tif 000010
【図１０】
0005537904.tif 000011